(57)【要約】  携帯電子機器(10)は、動きを検出し、動きデータを生成するモーションセンサ(40)と、前記動きデータに基づいてユーザの行動を検出する行動モニタ(16)とを備える。電源検出回路(56)は、前記携帯電子機器(10)の外部電源への接続を検出する。制御回路(12)は、前記検出回路(56)からの出力信号を監視し、前記携帯電子機器(10)が前記電源に接続されている間、前記行動モニタ(16)による行動検出を行わせないようにする。
2009538479.tif 000002
【特許請求の範囲】
【請求項１】
携帯電子機器(10)であって、
動きを検出し、動きデータを生成するモーションセンサ(40)と、
前記動きデータに基づいてユーザの行動を検出する行動モニタ(16)と、
前記携帯電子機器(10)の外部電源への接続を検出する電源検出回路(56)と、
前記電源検出回路(56)からの信号に応答して、前記携帯電子機器(10)が前記電源に接続されている間、前記行動モニタ(16)による行動の検出を行わせないようにする制御回路(12)とを有することを特徴とする携帯電子機器(10)。
【請求項２】
前記行動モニタ(16)が前記ユーザが歩いた歩数を計数することを特徴とする請求項１記載の携帯電子機器(10)。
【請求項３】
前記行動モニタ(16)が、前記歩数に基づいて、歩いた距離を算出することを特徴とする請求項２記載の携帯電子機器(10)。
【請求項４】
前記行動モニタ(16)が、前記歩数に基づいて、消費したカロリーを算出することを特徴とする請求項２記載の携帯電子機器(10)。
【請求項５】
前記行動モニタ(16)が、前記モーションセンサ(40)から受信したデータに少なくとも部分的に基づいて、行動レポートを生成することを特徴とする請求項１記載の携帯電子機器(10)。
【請求項６】
前記行動レポートを格納するメモリ(14)をさらに備えることを特徴とする請求項５記載の携帯電子機器(10)。
【請求項７】
前記行動レポートを表示するディスプレイ(32)をさらに備えることを特徴とする請求項５記載の携帯電子機器(10)。
【請求項８】
前記行動モニタ(40)が、加速度計を備えることを特徴とする請求項１記載の携帯電子機器(10)。
【請求項９】
前記制御回路(12)が、前記携帯電子機器(10)が前記外部電源に接続されている間、前記モーションセンサ(40)を無効化することによって行動検出を行わせないようにすることを特徴とする請求項１記載の携帯電子機器(10)。
【請求項１０】
前記制御回路(16)が、前記携帯電子機器(10)が前記外部電源に接続されている間、前記行動モニタ(16)を停止させることによって行動検出を行わせないようにすることを特徴とする請求項１記載の携帯電子機器(10)。
【請求項１１】
内蔵動き検出器(40)を有する携帯電子機器(10)における方法であって、
モーションセンサ(40)からの動きデータに基づいて、ユーザの行動を検出するステップと、
前記携帯電子機器(10)の外部電源への接続を検出するステップと、
前記携帯電子機器(10)が前記外部電源に接続されている間、行動検出を一時停止するステップとを有することを特徴とする方法。
【請求項１２】
ユーザの行動を検出するステップが、前記ユーザが歩いた歩数を検出するステップを有することを特徴とする請求項１１記載の方法。
【請求項１３】
前記歩いた歩数に基づいて、歩いた距離を算出するステップをさらに有することを特徴とする請求項１２記載の方法。
【請求項１４】
前記歩いた歩数に基づいて、消費したカロリーを算出するステップをさらに有することを特徴とする請求項１２記載の方法。
【請求項１５】
行動レポートを生成するステップをさらに有することを特徴とする請求項１１記載の方法。
【請求項１６】
前記行動レポートをメモリ(14)に格納するステップをさらに有することを特徴とする請求項１５記載の方法。
【請求項１７】
前記行動レポートをディスプレイ(32)に表示するステップをさらに有することを特徴とする請求項１５記載の方法。
【請求項１８】
前記モーションセンサ(40)が、加速度計を備えることを特徴とする請求項１１記載の方法。
【請求項１９】
行動検出を一時停止させるステップが、前記携帯電子機器(10)が前記外部電源に接続されている間、前記モーションセンサ(40)を無効化するステップを有することを特徴とする請求項１１記載の携帯電子機器(10)。
【請求項２０】
行動検出を一時停止させるステップが、前記携帯電子機器(10)が前記外部電源に接続されている間、前記モーションセンサ(40)によって生成されるデータを無視するステップを有することを特徴とする請求項１１記載の携帯電子機器(10)。
【発明の詳細な説明】
【技術分野】
【０００１】
本発明は、概して、歩数計や加速度計といった内蔵モーションセンサを有する携帯電子機器に関する。
【背景技術】
【０００２】
歩数計は、人が歩いた歩数を計数する比較的簡単な装置である。歩数計は通常、人が歩いている間、腰に装着される。一部の歩数計は、人が歩いている最中に、歩いた距離及び／又は消費カロリーを計算することができる。歩数計は、消費者が運動量を追跡することを可能にすることで、健康的な生活を促進する。
【０００３】
歩数計を用いる、健康に気を遣う消費者が、歩数計の他に携帯電話、携帯情報端末及び／又はオーディオプレーヤといった他の携帯電子機器を１つ以上持っていることは珍しくない。そのような機器もまた、人が歩いている間持ち運ばれている。従って、ユーザが通常携行する携帯電話機器に歩数計や他の行動検出器を組み合わせることは、消費者にとって便利であろう。例えば、携帯電話を通常携行する消費者は、携帯電話が歩数計を有していれば便利に思うであろう。
【０００４】
歩数計を内蔵する携帯電子機器が、乗り物に乗っている人に持ち運ばれる場合、問題が起こりうる。ユーザが乗り物に乗っている際、乗り物の動き及び／又は加速度が、歩数計に誤った歩数を計数させうることである。
【発明の概要】
【０００５】
本発明はモーションセンサ又は他の行動検出器を有する携帯電子機器に関する。モーションセンサ又は行動検出器は、例えば、ユーザが歩いている間、歩いた歩数を計数する歩数計を含む。携帯電子機器が電源に接続されている場合、誤った歩数を検出しないよう、モーションセンサは無効化されて良い。モーションセンサはモーションセンサへの電源をオフすることによって無効化することができる。あるいは、携帯電子機器が電源に接続されている間、動き検出アルゴリズムにモーションセンサの出力を無視するように命令することによっても、事実上モーションセンサを無効化することができる。
【図面の簡単な説明】
【０００６】
【図１】１つの例示的な実施形態に係る携帯電子機器の機能ブロック図である。
【図２】外部電源への接続を検出するための例示的な携帯電子機器を示す図である。
【図３Ａ】、
【図３Ｂ】外部電源への接続を検出するための例示的な電源検出回路を示す図である。
【図４】行動モニタを制御するための例示的なロジックを示すフローチャートである。
【図５】行動モニタによって実施される例示的な処理を示すフローチャートである。
【発明を実施するための形態】
【０００７】
図１は、１つの例示的な実施形態にかかる携帯電子機器１０を示している。例示的な実施形態はセルラ電話機又は携帯情報端末(PDA)機器を含む。本発明は、オーディオプレーヤ、ビデオプレーヤ、ポケットベル、デジタルカメラ、オーディオビデオレコーダなどを被限定的に含む、他のタイプの携帯電子機器において実施されても良い。例示的実施形態における携帯電子機器１０は、機器１０の動作を制御するためのコントローラ１２と、動作に必要なデータ及びプログラムを格納するためのメモリ１４と、外部機器と通信するための通信回路２０と、ユーザインタフェース３０と、ユーザの行動を検出するためのモーションセンサ４０又は他の行動検出器と、電源制御回路５０とを備える。
【０００８】
コントローラ１２は１つ以上のプロセッサ、ハードウェア、ファームウェア又はそれらの任意の組み合わせを含むことができる。コントローラ１２はメモリ１４に格納されたプログラムに従って、携帯電子機器１０の動作全体を制御する。メモリ１４は読み出し専用メモリ(ROM)及びランダムアクセスメモリ(RAM)の両方を含んでいる。動作に必要なプログラムは、消去可能かつプログラマブルな読み出し専用メモリ(EPROM)又はフラッシュメモリのような固定記憶装置に格納される。ランダムアクセスメモリは一時的なデータの格納に用いることができる。コントローラ１２は、本明細書で行動モニタ１６と呼ぶ、ユーザの身体的行動(physical activity)を監視するプログラムを実行する。行動モニタ１６は、モーションセンサ４０からの動きデータを以下に説明するように解析して身体的行動を検出し、出力をユーザに提供する。例えば、行動モニタ１６は歩行中又は走行中、ユーザが歩いた歩数を計数する歩数計として機能することができる。行動モニタ１６はさらに、歩行中もしくは走行中に、歩数に基づいて移動距離を計算することや、歩行中又は走行中に消費したカロリー数を計算することができる。
【０００９】
通信回路２０は複数の外部機器と通信するための任意のタイプの通信インタフェースを備えることができる。例示的な本実施形態において通信回路２０は、セルラネットワークと通信するためのセルラ送受信機２２、短距離無線インタフェース２４及び有線インタフェース２６を含んでいる。セルラ送受信機２２はGSM (Global System for Mobile Communications)、cdma2000、WCDMA又はOFDMのような任意の通信規格を用いることができる。短距離無線インタフェース２４は、WIFI又はBluetooth（登録商標）インタフェースのような短距離無線インタフェース、又は赤外線インタフェースを備えることができる。有線インタフェース２６は、例えば、USB (Universal Serial Bus)インタフェースのようなシリアルインタフェースを備えることができる。
【００１０】
ユーザインタフェース３０は、ユーザが携帯電子機器１０と相互作用することを可能にする。ユーザインタフェース３０はディスプレイ３２、１つ以上の入力デバイス３４、マイク３６及びスピーカ３８を備える（図２）。ディスプレイ３２は例えば液晶ディスプレイを備えることができる。ディスプレイ３２は、ユーザが見るための情報を出力するために用いられる。ディスプレイ３２は、入力デバイスとしても機能するタッチスクリーンディスプレイであってもよい。本発明において、行動モニタ１６は、ユーザの行動を示す情報をディスプレイ３２に出力する。入力デバイス３４はユーザがデータ及びコマンドを入力すること及び、機器１０の動作を制御することを可能にする。図示した実施形態において、入力デバイス３４は数字キーパッド、ナビゲーションコントロール及びいくつかのファンクションキーを含んでいる。利用可能な他のタイプの入力デバイスは、タッチパッド、スクロールデバイス及びポインティングデバイスを含んでよい。
【００１１】
モーションセンサ４０は例えば加速時計を備えることができる。モーションセンサ４０が生成する動きデータは、行動モニタ１６に供給される。行動モニタ１６はモーションセンサ４０が出力する動きデータを解析し、歩行又は走行といったユーザの身体的行動を検出する。行動モニタ１６は、心拍数モニタ又は血圧モニタのような、他の検出装置（図示せず）からの入力を受信しても良い。
【００１２】
電源制御回路５０は、携帯電子機器１０内の他の部品への電源供給を制御する。電源制御回路５０は電池５２のような内部電源に接続する。電源制御回路５０はまた、コネクタ（図示せず）を介して外部電源５４にも接続することができる。電源制御回路５０は、外部電源５４の存在を検出し、ステータス信号をコントローラ１２へ供給するための検出回路５６を含む。
【００１３】
検出回路５６からのステータス信号に応答して、コントローラ１２はモーションセンサ４０及び／又は行動モニタ１６を無効化することができる。携帯電子機器１０が電源に接続されている際にはユーザが歩いたり走ったりしないものと仮定することができる。従って、モーションセンサ４０及び／又は行動計算機１６は、携帯電子機器１０が電源に接続されている間、誤った行動、すなわち誤った歩数を検出しないように無効化されることができる。例えば、携帯電子機器１０が乗り物内の電源に接続されている場合、その乗り物の動きが行動として誤検出されうる。そのため、モーションセンサ４０又は行動計算機１６を無効化することで、乗り物の動きが身体的な行動として見なされることを防止する。
【００１４】
図３Ａは、外部電源５４の存在を検出するための例示的な検出回路５６を示す図である。図３Ａに示す実施形態において、検出回路５６はトランジスタ回路を備えている。外部電源５４が存在する場合、トランジスタＴ１のベースは抵抗Ｒ１を通じて外部電源５４に接続されるとともに、抵抗Ｒ３を通じてグラウンドに接続される。トランジスタＴ１のコレクタは抵抗Ｒ２を通じて電源制御回路５０が供給する安定化電圧Ｖoutに接続されるとともに、検出器出力Ｓoutに接続される。外部電源５４が存在しない場合、トランジスタはオフであり、検出器出力はハイである。外部電源５４が存在する場合、トランジスタはオンし、検出器出力はローとなる。検出器出力信号はコントローラ１２へ供給され、コントローラ１２はモーションセンサ４０及び／又は行動モニタ１６を無効化することができる。本技術分野の当業者は、検出器出力がモーションセンサ４０への電源を直接制御するために用いられても良いことを理解するであろう。
【００１５】
図３Ｂは別の例示的な検出回路５６を示す。本実施形態の検出回路５６は比較器６４に接続された一対の電圧分割器６０，６２を含んでいる。第１の電圧分割器６０は、安定化電圧Ｖoutから得られる第１の入力信号を提供する。第２の電圧分割器はＶextから得られる第２の入力信号を提供する。第１及び第２の入力信号は比較器６４の各入力に供給される。比較器６４の電源もまたＶoutに接続されている。外部電源５４の存在に応じて、比較器６４の出力はハイ又はローとなる。
【００１６】
図４は、外部電源５４に接続された際、コントローラ１２がモーションセンサ４０及び／又は行動モニタ１６を無効化するために実行する例示的なロジックを示す。コントローラ１２は、検出回路５６が生成するステータス信号を連続的に、又は周期的に監視する（ブロック１００）。外部電源５４が存在する場合、コントローラ１２は、制御信号を生成してモーションセンサ４０を無効化するか、あるいは電子機器１０が外部電源５４に接続されている間は監視処理を停止するように行動モニタ１６に命令することができる（ブロック１０２）。外部電源が存在しない場合、コントローラ１２はモーションセンサ４０を有効化するか、行動モニタ１６に監視処理を再開するように命令する（ブロック１０４）。
【００１７】
図５は、行動モニタ１６が実行する機能を示す。行動モニタ１６はモーションセンサ４０から動きデータを受信する（ブロック１５０）。有効化されている際、行動モニタ１６はモーションセンサ４０から与えられるデータを処理及び解析し、歩行又は走行といったユーザの身体的な行動を検出する（ブロック１５２）。例えば、行動モニタ１６は、ユーザが歩いた歩数や、ユーザの歩みの頻度を計数することができる。行動モニタ１６は、歩数や頻度の情報を用いて、ユーザが移動した距離、ユーザのスピード及び消費カロリー数を求めることができる。行動モニタは行動レポートを生成する（ブロック１５４）。行動レポートはメモリ１４に格納しても良いし、ユーザに提示するためにディスプレイ３２に出力しても良い（ブロック１５６）。行動レポートはリムーバブルメモリデバイスに格納しても良いし、及び／又はデスクトップコンピュータシステムに転送されてもよい。
【００１８】
外部電源５４の存在に基づいてモーションセンサ４０及び／又は行動モニタ１６を無効化するための、上述した方法は、他のタイプのセンサに適用することができる。例えば、携帯電子機器１０は心拍数モニタ、血圧モニタ、温度センサ、又は任意のタイプの行動センサを含むことができる。これらの検出デバイスもまた、携帯電子機器１０が外部電源５４に接続された際に無効化されてよい。
【００１９】
本発明は、本発明の範囲及び基本的な特性の範囲内で、上述した特定の方法とは異なる方法によって実行されても良いことは言うまでもない。従って、上述した実施形態はあらゆる面で例示的かつ非限定的なものと見なされるべきであり、添付した請求項の意味及び等価的な範囲内に含まれる全ての変更は、請求項に含まれることが意図されている。
【図１】
2009538479.tif 000003
【図２】
2009538479.tif 000004
【図３Ａ】
2009538479.tif 000005
【図３Ｂ】
2009538479.tif 000006
【図４】
2009538479.tif 000007
【図５】
2009538479.tif 000008
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
携帯電子機器(10)であって、
動きを検出し、動きデータを生成するモーションセンサ(40)と、
前記動きデータに基づいてユーザの行動を検出する行動モニタ(16)と、
前記携帯電子機器(10)の外部電源への接続を検出する電源検出回路(56)と、
前記電源検出回路(56)からの信号に応答して、前記携帯電子機器(10)が前記外部電源に接続されている間、前記行動モニタ(16)による行動の検出を行わせないようにする制御回路(12)とを有することを特徴とする携帯電子機器(10)。
【請求項２】
前記行動モニタ(16)が前記ユーザが歩いた歩数を計数することを特徴とする請求項１記載の携帯電子機器(10)。
【請求項３】
前記行動モニタ(16)が、前記歩数に基づいて、歩いた距離および消費したカロリーの少なくとも一方を算出することを特徴とする請求項２記載の携帯電子機器(10)。
【請求項４】
前記行動モニタ(16)が、前記モーションセンサ(40)から受信したデータに少なくとも部分的に基づいて、行動レポートを生成することを特徴とする請求項１記載の携帯電子機器(10)。
【請求項５】
前記制御回路(12)が、前記携帯電子機器(10)が前記外部電源に接続されている間、前記モーションセンサ(40)を無効化するか、前記行動モニタ(16)を停止させることによって行動検出を行わせないようにすることを特徴とする請求項１記載の携帯電子機器(10)。
【請求項６】
内蔵動き検出器(40)を有する携帯電子機器(10)における方法であって、
モーションセンサ(40)からの動きデータに基づいて、ユーザの行動を検出するステップと、
前記携帯電子機器(10)の外部電源への接続を検出するステップと、
前記携帯電子機器(10)が前記外部電源に接続されている間、行動検出を一時停止するステップとを有することを特徴とする方法。
【請求項７】
ユーザの行動を検出するステップが、前記ユーザが歩いた歩数を検出するステップを有することを特徴とする請求項６記載の方法。
【請求項８】
前記歩いた歩数に基づいて、歩いた距離および消費したカロリーの少なくとも一方を算出するステップをさらに有することを特徴とする請求項７記載の方法。
【請求項９】
行動レポートを生成するステップをさらに有することを特徴とする請求項６記載の方法。
【請求項１０】
行動検出を一時停止させるステップが、前記携帯電子機器(10)が前記外部電源に接続されている間、前記モーションセンサ(40)を無効化するステップ又は前記モーションセンサ(40)によって生成されるデータを無視するステップを有することを特徴とする請求項６記載の方法。
【手続補正２】
【補正対象書類名】明細書
【補正対象項目名】０００５
【補正方法】変更
【補正の内容】
【０００５】
本発明はモーションセンサ又は他の行動検出器を有する携帯電子機器に関する。モーションセンサ又は行動検出器は、例えば、ユーザが歩いている間、歩いた歩数を計数する歩数計を含む。携帯電子機器が電源に接続されている場合、誤った歩数を検出しないよう、モーションセンサは無効化されて良い。モーションセンサはモーションセンサへの電源をオフすることによって無効化することができる。あるいは、携帯電子機器が電源に接続されている間、動き検出アルゴリズムにモーションセンサの出力を無視するように命令することによっても、事実上モーションセンサを無効化することができる。
本発明の例示的な実施形態は、モーションセンサ、行動モニタ、電源検出回路及び制御回路を有する携帯電子機器を含む。前記モーションセンサは動きを検出し、動きデータを生成する。前記行動モニタは前記動きデータに基づいてユーザの行動を検出する。前記電源検出回路は前記携帯電子機器の外部電源への接続を検出する。そして、前記制御回路は、前記電源検出回路からの信号に応答して、前記携帯電子機器が前記電源に接続されている間、前記行動モニタによる行動の検出を行わせないようにする。
携帯電子機器の一実施形態において、前記行動モニタは前記ユーザが歩いた歩数を計数する。
携帯電子機器の一実施形態において、前記行動モニタは、前記歩数に基づいて、歩いた距離を算出する。
携帯電子機器の一実施形態において、前記行動モニタは、前記歩数に基づいて、消費したカロリーを算出する。
携帯電子機器の一実施形態において、前記行動モニタは、前記モーションセンサから受信したデータに少なくとも部分的に基づいて、行動レポートを生成する。
例示的な携帯電子機器は、前記行動レポートを格納するメモリをさらに備える。
例示的な携帯電子機器は、前記行動レポートを表示するディスプレイをさらに備える。
携帯電子機器の一実施形態において、前記行動モニタは、加速度計を備える。
携帯電子機器の一実施形態において、前記制御回路は、前記携帯電子機器が前記外部電源に接続されている間、前記モーションセンサを無効化することによって行動検出を行わせないようにする。
携帯電子機器の一実施形態において、前記制御回路は、前記携帯電子機器が前記外部電源に接続されている間、前記行動モニタを停止させることによって行動検出を行わせないようにする。
本発明の例示的な実施形態は、内蔵動き検出器を有する携帯電子機器で実施される方法をも含む。一つの例示的な方法は、モーションセンサからの動きデータに基づいて、ユーザの行動を検出するステップと、前記携帯電子機器の外部電源への接続を検出するステップと、前記携帯電子機器が前記外部電源に接続されている間、行動検出を一時停止するステップとを有する。
方法の一実施形態において、ユーザの行動を検出するステップは、前記ユーザが歩いた歩数を検出するステップを有する。
例示的な方法は、前記歩いた歩数に基づいて、歩いた距離を算出するステップをさらに有する。
例示的な方法は、前記歩いた歩数に基づいて、消費したカロリーを算出するステップをさらに有する。
例示的な方法は、行動レポートを生成するステップをさらに有する。
例示的な方法は、前記行動レポートをメモリに格納するステップをさらに有する。
例示的な方法は、前記行動レポートをディスプレイに表示するステップをさらに有する。
方法の一実施形態において、前記モーションセンサは、加速度計を備える。
方法の一実施形態において、行動検出を一時停止させるステップは、前記携帯電子機器が前記外部電源に接続されている間、前記モーションセンサを無効化するステップを有する。
方法の一実施形態において、行動検出を一時停止させるステップは、前記携帯電子機器が前記外部電源に接続されている間、前記モーションセンサによって生成されるデータを無視するステップを有する。
【国際調査報告】
2009538479.tif 000009
2009538479.tif 000010